(57)【特許請求の範囲】
【請求項１】
足を入れる靴本体の下方にブレードが設けられた全体形態がスラップスケート靴であって、弾性体が靴本体のつま先側部と踵部およびその中間位置の各下方にそれぞれ設けられ、前記中間位置の弾性体はヒンジを介して靴本体と連結され、踵部の弾性体は靴本体と開離自在となされ、踵部と中間位置の両弾性体間における靴本体とブレードとが戻りスプリングで連結されており、靴本体の底部には、前記爪先側部および中間位置における弾性体と対応して屈曲用ヒンジ部が設けられている、スラップスケート靴。
【発明の詳細な説明】
【技術分野】
【０００１】
本発明は、氷面を滑るためのアイススケート靴や路面を走行するためのローラースケート靴（インラインスケート靴を含む）およびスケートボード（本明細書において「スケート具」という）に関する。
【背景技術】
【０００２】
従来、滑走を補助する機構を備えたスケート具としては、以下のようなものが知られている。
【０００３】
先ず、アイススケート靴では、靴本体とブレードとの間にリンク機構およびショックアブソ−バーを備えたものが知られている。この靴は、三箇所の支点を有するリンクと該リンクに組み込まれたショックアブソ−バーとによって、使用者の身体的特性に合った靴の調整を機械的に行うものである。
【０００４】
ローラースケート靴としては、靴本体とローラーとの間に略菱形の中空状フレームを介在させ、該フレーム内にゴム片やコイルスプリング等の弾性体を内蔵したものが知られている。
【０００５】
また、他のローラースケート靴としては、前後一対のコイルスプリングと、これらを連係させるリンク部材とを備え、ジャンプを容易に行うようにしたものも知られている。
【０００６】
この他、別のローラースケート靴（インラインスケート靴）としては、逆Ｕ形のスライドシートとコイルスプリングとによって、中央部分のローラーを緩衝することにより、滑走時における路面からの衝撃を緩和するようにしたものも知られている。
【０００７】
更に他のローラースケート靴（インラインスケート靴）としては、靴本体とローラーとの間に楕円形のループ状部材を介在させ、該ループ状部材でローラーを支持することにより、滑走性能を高めるようにしたものも知られている。
【先行技術文献】
【特許文献】
【０００８】
【特許文献１】特開平１０−２９０８５５号公報
【特許文献２】実用新案登録第３０９０６６７号公報
【特許文献３】実用新案登録第３０３５５８２号公報
【特許文献４】実用新案登録第３０７５８３８号公報
【特許文献５】特表平１１−５０８４７１号公報
【発明の概要】
【発明が解決しようとする課題】
【０００９】
前述したいずれのものも滑走性能を高める機構を有するが、構造が複雑であって、通常のスケート靴に比べてかなり高価となる上、使用にあたって、細かなセッティングを必要としたり、履くのに手間を要する等、使い難い面が多かった。
【００１０】
本発明の目的は、簡単な構造で、大幅な滑走性能の向上が図れる滑走用具を提供することにある。
【課題を解決するための手段】
【００１１】
請求項１記載の本発明は、足を入れる靴本体の下方にブレードが設けられた全体形態がスラップスケート靴であって、弾性体が靴本体のつま先側部と踵部およびその中間位置の各下方にそれぞれ設けられ、前記中間位置の弾性体はヒンジを介して靴本体と連結され、踵部の弾性体は靴本体と開離自在となされ、踵部と中間位置の両弾性体間における靴本体とブレードとが戻りスプリングで連結されており、靴本体の底部には、前記爪先側部および中間位置における弾性体と対応して屈曲用ヒンジ部が設けられていることを特徴とするものである。
【発明の効果】
【００１２】
スケート具は、脚力を中心として滑走を行うものであるが、一定距離をより速く滑走するためには脚力を有効に使うことが求められる。例えば、アイススケートの場合、一方の足に装着したスケート靴のエッジによって氷面を蹴りつつ、他方の足に装着したスケート靴を前方へ繰り出すという動作を左右交互に行うことによって滑走が連続的に行われる。この際、腰、膝および足首を曲げて、より低い前傾姿勢をとることで下半身のバネをつくり出し、より大きな推進力を得ている。そして、より効率的なスケーティングを行うためには、脚力を中心として出力される体の力を高いレベルを維持しつつ、できるだけ長い時間、氷面に作用させる必要がある。
【００１３】
本発明のスケート具は、その本体部と滑走用部との間に弾性体を介在させ、且つ該弾性体が本体部を直接的に支持する構造となされているため、足で本体部に加えられた力が一旦、弾性体に蓄積され、その蓄積された力が該弾性体を介してより持続的な力となって滑走部に伝えられることとなる。そのため、使用者自身の推進力を、短時間で消失させることなく、該力を常に平準化して、且つ高いレベルで、より長い時間にわたって滑走部に加えることが可能となるのである。その結果、使用者は誰でも、常に効率的な滑走を容易に行うことができ、少ない力でより大きな推進力を得ることが実現される。
【００１４】
更に、独立懸架式とした本発明に係るローラースケートやスケートボードによれば、各ローラーが個別に前述した効率的で大きな推進力で回転され、また路面に局部的な凹凸がある場合でも、全ローラーが凹凸の影響を受けずに、凹凸に遭遇したローラーだけが影響を受け、他のローラーは最大限の増幅された推進力を生み出すため、安定的且つ効率的な滑走が可能となる。
【００１５】
また、ショックアブソーバーも設けた本発明のスケート具によれば、滑走時に使用者の足に伝わる振動が軽減され、これが前述した効率的で大きな推進力と相俟って、より速くてスムーズな滑走が行える。
【００１６】
この他、靴本体の底部に屈曲用ヒンジ部を備えたスケート具によれば、靴本体が容易に屈曲するため、前述した力蓄積効果が更に向上すると共に、推進力も増強されるため、加速性が向上すると共に、コーナリング時の安定性も増加するという利点がある。しかもスケート具の使用者は、靴本体が容易に屈曲することで前傾姿勢をとりやすくなり、その結果、滑走時の空気抵抗を低減させることができる。
【００１７】
また、靴本体の甲皮部から爪先部にかけて蛇腹状部を備えた本発明に係るスケート具によれば、前述した効果が更に増強され得る。
【図面の簡単な説明】
【００１８】
【図１】実施形態１に係るアイススケート靴の側面図である。
【図２】同実施形態に係るアイススケート靴の正面図である。
【図３】実施形態１の変形例を示すアイススケート靴の正面図である。
【図４】実施形態２に係るスケートボードの底面図である。
【図５】同実施形態に係るスケートボードの側面図である。
【図６】同実施形態におけるローラー部分の拡大側面図である。
【図７】実施形態３に係るローラースケート靴の平面図である。
【図８】同実施形態に係るローラースケート靴の側面図である。
【図９】同実施形態におけるローラー部分の拡大正面図である。
【図１０】実施形態４に係るインラインスケート靴の側面図である。
【図１１】同実施形態におけるローラー部分の拡大正面図である。
【図１２】実施形態５に係るスラップスケート靴の側面図である。
【図１３】同スラップスケート靴におけるバネ機構の拡大断面図である。
【図１４】同スラップスケート靴の踵部が上がった状態を示す側面図である。
【図１５】本発明に係る他のバネ機構を示す正面図である。
【図１６】同機構の側面図である。
【図１７】本発明に係る更に他のバネ機構を示す正面図である。
【図１８】実施形態６に係るスラップスケート靴を示す側面図である。
【図１９】同実施形態のスケート靴であって、踵部だけが浮いた状態を示す側面図である。
【図２０】同実施形態のスケート靴であって、中足骨下部まで浮いた状態を示す側面図である。
【図２１】同実施形態のスケート靴における屈曲用ヒンジ部を拡大して示す斜視図である。
【図２２】実施形態７に係るスラップスケート靴を示す側面図である。
【図２３】同実施形態のスケート靴であって、踵部だけが浮いた状態を示す側面図である。
【図２４】同実施形態のスケート靴であって、靴の最大屈曲状態を示す側面図である。
【図２５】実施形態８に係るスラップスケート靴を示す側面図である。
【発明を実施するための形態】
【００１９】
（実施形態１）
【００２０】
図１および図２に示すように、１はアイススケート靴であって、靴本体２と、靴本体２の下方にカップ３を介して一体に設けられたブレード４とを有している。ブレード４は、靴本体２の幅中央に一枚設けられ、カップ３はつま先側部と踵側部の二箇所に設けられている。
【００２１】
そして、各カップ３は、上下に二分割され、靴本体２のシャシー５に固定された上側半部３Ａとブレード４に固定された下側半部３Ｂとを有しており、また上側半部３Ａ内には下側が開口した大径有底筒状部材６が設けられ、下側半部３Ｂ内には上側が開口した小径有底筒状部材７が設けられ、小径有底筒状部材７は大径有底筒状部材６内に進入自在となされており、これら筒状部材６・７内には上下方向に伸びるコイルスプリング８が嵌め込まれている。
【００２２】
本実施形態のアイススケート靴１は、一般のものと同様、靴本体２に足を入れて靴紐９を結ぶことで履くことができる。そして、通常のスケーティングフォームで滑走を行うだけで前記発明の効果で述べたような力蓄積による効率的な滑走が行える。
【００２３】
図３は、本発明の変形例であって、前記ブレード４を靴本体２の幅方向に２枚（４Ａ・４Ｂ）並列的に設けたものである。
【００２４】
この場合、ブレード４Ａ・４Ｂが左右に二枚あることで、スケートの初心者でも容易に氷面に安定的に立つことができる上、通常のスケーティングフォームで滑走を行えば、内側のブレード４Ａが主となって滑走が行われるが、外側のブレード４Ｂも氷面をとらえているため、前記発明の効果で述べた力蓄積による効率的な滑走が更に増長される。
【００２５】
本実施形態では、カップ３は、靴本体２下方の前後２箇所に設けたが、更にそれらの間にもう一箇所設けても良いし、或いは該部にショックアブソーバーを設けても良い。
【００２６】
（実施形態２）
【００２７】
図４〜図６に示すように、２１はスケートボードであって、ボード本体２２と、ボード本体２２の下面に設けられた複数の独立懸架式ローラー２３・２４・２５とを有している。
【００２８】
より詳細には、ローラー２３はボード本体２２の下面前端に設けられたトップローラーであり、ローラー２４はボード本体２２の下面後端に設けられたテールローラーであり、ローラー２５はボード本体２２の下面における前寄り部分と後寄り部分に左右一対ずつ設けられたメインローラーである。
【００２９】
トップローラー２３とテールローラー２４は、軸受３２に支持されたシャフト２７の両端に左右一対で設けられており、メインローラー２５は軸受２６に支持されたシャフト２７の外側端に設けられている。そして、各ローラー２３・２４・２５は後述する機構によって懸架されている。
【００３０】
すなわち、図６に示すように、ボード本体２２の下面にビス２８によって方形のベースプレート２９が取り付けられ、ベースプレート２９の下面中央にはショックアブソーバー３１が垂下されており、ショックアブソーバー３１の下端は、後述する軸受２６・３２の上部に固定されている。軸受２６・３２には、ローラー２３・２４・２５のシャフト２７が挿通され、シャフト２７の端部にはナット３３が一体に形成されている。また、ショックアブソーバー３１にはコイルスプリング３０が装着されている。
【００３１】
本実施形態に係るスケートボード２１によれば、各ローラー２３・２４・２５が独立懸架式であるため、路面の滑走時において、いずれかのローラー２３・２４・２５が路面の凸部や石ころに衝突した場合でも、その衝突したローラーだけが押し上げられ、他のローラーは影響されないため、当該スケートボード２１全体としては安定した状態が維持される。しかも、本実施形態のスケートボード２１についても、前記発明の効果で述べた力蓄積作用が得られることは勿論である。
【００３２】
また、ショックアブソーバー３１によって、滑走時の振動が吸収されるため、使用者は振動による不快感を感ずることなく、スムーズで効率的な滑走が行えることとなる。
【００３３】
本実施形態では、各ローラー２３・２４・２５に前記ショックアブソーバー３１を設ける他、メインローラー２５のみにショックアブソーバー３１を設けても良い。
【００３４】
（実施形態３）
【００３５】
図７〜図９に示すように、４１はローラースケート靴であって、靴本体４２と、靴本体４２の下面における前側寄り部分と後側寄り部分にそれぞれ左右一対の独立懸架式のローラー４３が取り付けられている。
【００３６】
ローラー４３の懸架構造は、前記実施形態２と基本的に同様であり、靴本体４２の下面に一体に固定されたシャシー４４に方形のベースプレート４５がビス４６によって取り付けられ、ベースプレート４５の下面中央には、ショックアブソーバー４７が垂下されており、ショックアブソーバー４７の下端は、後述する軸受４７の上部に固定されている。軸受４７には、ローラー４３のシャフト４８が挿通され、シャフト４８の端部には止めナット５１が螺着されている。また、ショックアブソーバー４７にはコイルスプリング５２が装着されている。なお、図中４０は、ローラー４３の内周に装着されたボールベアリングを示す。
【００３７】
本実施形態に係るローラースケート靴４１も前記実施形態２に係るスケートボード２１と同様の滑走効果が得られる。
【００３８】
（実施形態４）
【００３９】
図１０および図１１に示すように、６１はインラインスケート靴であって、靴本体６２と、靴本体６２の下面に一体に固定されたシャシー６３に前後一列に取り付けられた独立懸架式の４つのローラー６４とを有している。
【００４０】
シャシー６３は、正面からみて略Ｔ形であって、その垂下壁６３ａにビス６５によってベースプレート６６が取り付けられ、ベースプレート６６の下面両側寄り部分にショックアブソーバー６７がそれぞれ配置され、ショックアブソーバー６７の下端はそれぞれ軸受６８に固定されており、両側の軸受６８によってローラー６４のシャフト６９が支持されている。また、各ショックアブソーバー６７にはコイルスプリング７１が装着されている。なお、図中６０は、ローラー６４内周のボールベアリングを示す。
【００４１】
本実施形態に係るインラインスケート靴６１は、４つのローラー６４が独立懸架式で靴本体６２に直接的に取り付けられているため、前記実施形態３に係るローラースケート靴４１と同様、路面の凹凸の影響が大幅に軽減されつつ、スムーズで効率的な滑走が行える。
【００４２】
（実施形態５）
【００４３】
図１２〜図１３に示すように、８１はスラップスケート靴であって、靴本体８２と、靴本体８２の下方にカップ８３・８４を介して設けられたブレード８５とを有している。ブレード８５は、靴本体８２の幅中央に一枚設けられ、カップ８３・８４は、つま先側と踵側部の二箇所に設けられている。なお、ブレード８５は、靴本体８２の幅方向に二列設けることもできる。
【００４４】
つま先側のカップ８３は、靴本体８２の下面に一体に固定されたシャシー８６とヒンジ８７を介して連結されている。一方、踵側のカップ８４は、図１４に示すように、シャシー８６から開離自在となされており、また両カップ８３・８４間において、ブレード８５とシャシー８６とが戻りスプリング８８によって連結されている。
【００４５】
カップ８３・８４の構造について詳述すると、いずれのカップも図１３に示すように、下側が開口した有底円筒状の大径上側半部８０Ａと、大径上側半部８０Ａ内に進入自在となされ、上側が開口した有底円筒状の小径下側半部８０Ｂとに二分割され、両半部８０Ａ・８０Ｂ間にはコイルスプリング８９が内蔵されている。
【００４６】
そして、カップ８３においては、大径上側半部８０Ａがヒンジ８７に連結され、小径下側半部８０Ｂがブレード８５に固定されている。
【００４７】
カップ８４においては、大径上側半部８０Ａの上部に皿状の支持受台９１が一体に設けられ、該支持受台９１に対してシャシー８６下面に設けられた凸部９２が磁力で当接するようになされ、小径下側半部８０Ｂはブレード８５に固定されている。
【００４８】
なお、図中９０は、戻りスプリング８８を接続するために、シャシー８６下面およびブレード８５上部に一体に形成されたシャックルを示す。
【００４９】
本実施形態のスラップスケート靴８１によれば、従来のスラップスケート靴と同様にブレード８５が氷面に接触している時間がより長くなるだけでなく、氷面に作用する使用者の力がより持続されるため、効率的な滑走が更に促進される。
【００５０】
図１５〜図１７は、本発明における懸架機構の他の実施形態であり、前述した各実施形態における懸架機構と置き換えることができる。
【００５１】
図１５および図１６に示す懸架機構について説明すると、靴本体やボード本体等の本体側部１０１と、ブレードやローラー等の滑走用側部１０２との間において、中央にショックアブソーバー９３が設けられ、その両側に戻りスプリング９４がそれぞれ装着されており、戻りスプリング９４は、両側のガイド壁９５によって折れ曲がることなく、上下方向に作用にするように保持されている。ガイド壁９５は、図１６に示すように、正面から見て略鼓形であって、上下一対の板状部材９５Ａ・９５Ｂとからなり、下側板状部材９５Ｂにはスリット９６が形成され、上側板状部材９５Ａの外面下端には先端に皿形頭部９７ａが一体に形成された係合ピン９７が一体に形成され、そして、該係合ピン９７がスリット９６に挿通されて、上側板状部材９５Ａと下側板状部材９５Ｂがスライドするようになされている。
【００５２】
図１７に示す懸架機構は、コイルスプリング９８を用いたバネ機構にショックアブソーバー９９を直列的に設けたものである。
【００５３】
（実施形態６）
【００５４】
図１８〜図２０に示すように、１１１はスラップスケート靴であって、靴本体１１２と、靴本体１１２の下方に３つのカップ１１３〜１１５を介して設けられたブレード１１６とを有している。ブレード１１６は、本実施形態では、靴本体１１２の底面における幅中央に一枚設けられている。カップ１１３〜１１５のうち、カップ１１３は前部、カップ１１５は後部、カップ１１４はカップ１１３とカップ１１６の中間に設けられている。
【００５５】
またカップ１１３は、前述した実施形態５におけるカップ８３と同様、靴本体１１２の下面に一体に固定されたシャシー１１７（靴本体底部）とヒンジ１１８を介して連結されている。一方、カップ１１４およびカップ１１５は、シャシー１１７から開離自在となされ、カップ１１３とカップ１１４間並びにカップ１１４とカップ１１５間に介在された第一戻りスプリング１１８および第二戻りスプリング１１９によって、常にブレード１１６が靴本体１１２側へ付勢される構造となされている。各カップ１１３〜１１５の構造は、実施形態５におけるカップ８３・８４と同様である。
【００５６】
そして、シャシー１１７におけるカップ１１３の上方位置およびカップ１１４の上方位置にはそれぞれ後述する屈曲用ヒンジ部１２１・１２２が設けられている。すなわち、図２１に示すように、各ヒンジ部１２１・１２２では、シャシー１１７が前後で分割され、その前後のシャシー部材１１７ａ・１１７ｂ同士が回転支軸１２３を備えた一般的なヒンジ機構によって折り曲げ自在となされ、また回転支軸１２３の長さ中央部分には戻りスプリング１２４が装着されている。
【００５７】
本実施形態のスラップスケート靴１１１によれば、使用者がリンク上で加速したり、或いはコーナリングする際には、図１９に示すように、靴本体１１２のシャシー１１７が屈曲用第一ヒンジ部１２１において折れ曲がると共に、靴本体１１２の踵側部分がカップ１１５から上方へ開離し、更に図２０に示すように、シャシー１１７は屈曲用第二ヒンジ部１２２においても同様に折れ曲がると共に、靴本体１１２はカップ１１４からも上方へ開離する。その結果、靴本体１１２は、その踵側部分が氷面をとらえているブレード１１６から大きく上方へ屈曲することが可能となる。そのため、従来の市販のスラップスケート靴に比べてより大きな加速力や優れたコーナリング性を得ることができる。しかもこれが前述した本発明に係るスケート靴の力蓄積作用と相俟って大幅な滑走力向上を実現することができる。
【００５８】
なお、第一戻りスプリング１１８および第二戻りスプリング１１９は、前記屈曲用第一・第二ヒンジ部１２１・１２２によって開離される靴本体１１２とブレード１１６とを互いに接近させるように作用する。
【００５９】
本実施形態のスケート靴１１１は、３つのカップ１１３〜１１５と二箇所の屈曲用ヒンジ部１２１・１２２および二本の戻りスプリング１１８・１１９を有する構造であったが、前部と踵部の中間に位置するカップ１１４および該部における屈曲用第一ヒンジ部１２１および第二戻りスプリング１１９を省略する場合もある。この他、靴本体１１２の底部にあたるシャシー１１７自体をゴムやプラスチック等の可撓性材料で構成することにより、前記と同様にシャシー１１７を前後方向に折り曲げ可能とするようにしても良い。
【００６０】
（実施形態７）
【００６１】
図２２〜図２４に示すように、本実施形態のスラップスケート靴１３１は、前記実施形態６のスケート靴１１１の変形例であって、実施形態６のスケート靴１１１と同様、靴本体１３２の下部に３つのカップ１３３〜１３５を有すると共に、シャシー１３７に屈曲用の第一および第二ヒンジ部１３８・１３９が設けられているが、本実施形態では、靴本体１３２とブレード１３６とを連結するヒンジ１４１が前部のカップ１３３ではなく、中央のカップ１３４の上部に設けられている。また、戻りスプリング１４２は本実施形態では中央のカップ１３４と踵部側のカップ１３５との間にのみ設けられている。
【００６２】
本実施形態のスケート靴１３１によれば、使用者がリンク上で加速したり、或いはコーナリングする際には、図２３に示すように、靴本体１３２のシャシー１３７が屈曲用第一ヒンジ部１３８において折れ曲がると共に、靴本体１３２の踵側部分がカップ１３５から上方へ開離し、更に図２４に示すように、シャシー１３７は屈曲用第二ヒンジ部１３９においても同様に折れ曲がる。この際、本実施形態では、中央に靴本体１３２とブレード１３６とを連結するヒンジ１４１が設けられているため、屈曲用第二ヒンジ部１３９において、靴本体１３２が大きく折れ曲がった状態となり、これによって使用者の推進力が有効に利用されることとなる。
【００６３】
（実施形態８）
【００６４】
図２５に示すように、本実施形態のスラップスケート靴１４１は靴本体１４２の底部およびその下方のカップ並びにブレードについては、前記実施形態６と同様である。
【００６５】
本実施形態のスケート靴１４１では、靴本体１４２の甲皮部およびその爪先側部分に小溝１４３が靴幅方向に伸びる蛇腹状部１４４Ａ・１４４Ｂが設けられており、該蛇腹状部１４４Ａ・１４４Ｂは、より詳細には、靴本体１４２のシャシー１４５における屈曲用第一・第二ヒンジ部１４６・１４７を基点として側面から見て上方へ扇形に広がるように形成されている。
【００６６】
本実施形態のスケート靴１４１によれば、滑走時において、前記実施形態６のスケート靴１１１と同様の作用効果が得られる上、靴本体１４２が容易に屈曲することとなるため、更にその作用効果が増幅され得る。
【００６７】
また、本実施形態はスラップスケート靴１４１であったが、ブレードに代えて複数のローラーを有するローラースケート靴とする場合もある。
【産業上の利用可能性】
【００６８】
本発明のスケート具によれば、効率的でスムーズな滑走が誰でも容易に行えるため、幅広い利用が期待できる。
【符号の説明】
【００６９】
１  アイススケート靴
２  靴本体
３  カップ
４  ブレード
５  ボトムプレート
６・７  筒状部材
８  コイルスプリング
【図１】
0005441222.tif 000002
【図２】
0005441222.tif 000003
【図３】
0005441222.tif 000004
【図４】
0005441222.tif 000005
【図５】
0005441222.tif 000006
【図６】
0005441222.tif 000007
【図７】
0005441222.tif 000008
【図８】
0005441222.tif 000009
【図９】
0005441222.tif 000010
【図１０】
0005441222.tif 000011
【図１１】
0005441222.tif 000012
【図１２】
0005441222.tif 000013
【図１３】
0005441222.tif 000014
【図１４】
0005441222.tif 000015
【図１５】
0005441222.tif 000016
【図１６】
0005441222.tif 000017
【図１７】
0005441222.tif 000018
【図１８】
0005441222.tif 000019
【図１９】
0005441222.tif 000020
【図２０】
0005441222.tif 000021
【図２１】
0005441222.tif 000022
【図２２】
0005441222.tif 000023
【図２３】
0005441222.tif 000024
【図２４】
0005441222.tif 000025
【図２５】
0005441222.tif 000026